(57)【特許請求の範囲】
【請求項１】
メモリカードスロットの入口を塞ぐよう形成され、位置保持部材により弾性押圧されるヒンジ部を有するドアと、
前記ドアが回動して前記メモリカードスロットの入口を選択的に開閉するよう前記ドアのヒンジ部を前記メモリカードスロットの両側壁に対して回転支持する複数のヒンジと、
前記メモリカードスロットの入口の前端に設けられ、メモリカードを前記メモリカードスロットに差し込むよう引入口が形成されたドアホルダと、を含み、
前記複数のヒンジは、前記ドアホルダとは別に形成され、前記ドアの両端を回動可能に支持するように前記ドアホルダの両側壁に取り付けられ、
前記ドアは、
前記ドアホルダの引入口を遮断する遮断板と、
前記遮断板の両端で延長され、前記ドアホルダの両側壁に前記複数のヒンジにより回動自在に支持される前記ヒンジ部が設けられた複数の回転アームと、を含み、
前記ドアのヒンジ部は、
前記ドアの遮断板が前記ドアホルダの引入口を開いている状態で前記位置保持部材の弾性突起に押圧される第１固定部と、
前記ドアの遮断板が前記ドアホルダの引入口を遮断する状態で前記位置保持部材の弾性突起に押圧される第２固定部と、を含むことを特徴とするメモリカードスロットの開閉装置。
【請求項２】
前記ドアホルダの内面は、前記メモリカードスロットに挿入される前記メモリカードに対応する形状で成型されることを特徴とする請求項１に記載のメモリカードスロットの開閉装置。
【請求項３】
前記複数の位置保持部材は、一体に形成されることを特徴とする請求項１に記載のメモリカードスロットの開閉装置。
【請求項４】
本体と、
前記本体の一側に回動自在に設けられるディスプレーユニットと、
前記ディスプレーユニットの受容される前記本体の受容部と内側で接するよう設けられたメモリカードスロットと、
前記メモリカードスロットの入口に設けられ、回動して前記メモリカードスロットの入口を選択的に開閉するメモリカードスロットの開閉装置と、を含み、
前記メモリカードスロットの開閉装置は、
前記メモリカードスロットの入口に設けられ、メモリカードを前記メモリカードスロットに差し込むよう引入口が形成されたドアホルダと、
前記ドアホルダの引入口を塞ぐよう形成され、位置保持部材により弾性押圧されるヒンジ部を有するドアと、
前記ドアホルダとは別に形成され、前記ドアが前記引入口を選択的に開閉するよう前記ドアのヒンジ部を前記ドアホルダに対して回転支持する複数のヒンジと、を含み、
前記ドアは、
前記ドアホルダの引入口を遮断する遮断板と、
前記遮断板の両端で延長され、前記ドアホルダの両側壁に前記複数のヒンジにより回動自在に支持される前記ヒンジ部が設けられた複数の回転アームと、を含み、
前記ドアのヒンジ部は、
前記ドアの遮断板が前記ドアホルダの引入口を開いている状態で前記位置保持部材の弾性突起に押圧される第１固定部と、
前記ドアの遮断板が前記ドアホルダの引入口を遮断する状態で前記位置保持部材の弾性突起に押圧される第２固定部と、を含むことを特徴とするデジタルモバイル機器。
【請求項５】
前記複数のヒンジが前記ドアホルダ及びドアを本体に固定することを特徴とする請求項４に記載のデジタルモバイル機器。
【発明の詳細な説明】
【技術分野】
【０００１】
本発明は、メモリカードスロットに係り、特に、メモリカードスロットの入口を開閉するメモリカードスロットの開閉装置及びそれを備えたデジタルモバイル機器に関する。
【背景技術】
【０００２】
一般に、デジタルカメラ、デジタルカムコーダ、携帯電話、携帯ゲーム機などのデジタルモバイル機器は、イメージや動画などのデータの格納容量を拡張するための記憶媒体として携帯用メモリを用いる。
【０００３】
通常、携帯用メモリはカードと類似した形状であり、メモリカードスロットに差し込み使用する。一般に、携帯用メモリとして、ＭＭＣ、メモリスティック、ＳＤカードなどが用いられる。メモリカードスロットは挿入されたメモリカードを固定し、メモリカードをデジタルモバイル機器の制御部と電気的に接続する役割をする。したがって、メモリカードがメモリカードスロットに挿入されると、デジタルモバイル機器の制御部は所定のデータをメモリカードに格納したり、格納されたデータを読み取る。
【０００４】
ところで、メモリカードスロットの入口を塞がない場合、デジタルモバイル機器を用いる時や携帯中にメモリカードがメモリカードスロットから抜ける恐れがある。よって、メモリカードが抜けないようにメモリカードスロットの入口を塞ぐ必要がある。このため、メモリカードスロットの入口にはメモリカードスロットの入口を選択的に開閉するメモリカードスロットの開閉装置が設けられる。
【０００５】
このように、メモリカードスロットの入口を塞ぐためには多様な方法が使用される。例えば、メモリカードスロットの入口を塞ぐドアを用いる。前記ドアは、カードスロットの入口の長辺の一側にカードスロットの入口と平行に設けられ、カードスロットの入口の長さに相当する長さのヒンジ軸を有するヒンジにより回動自在に支持される。したがって、ドアがヒンジを中心に回動するのでメモリカードスロットの入口を選択的に開閉できる。しかし、このような構造は、メモリカードスロットの一側に前記ヒンジを設けるためにメモリカードスロットの入口の断面積以上の面積を有するスペースを要するので、デジタルモバイル機器の小型化を図ることが困難である。すなわち、このような構造のメモリカードスロットの開閉装置を持つデジタルモバイル機器はサイズが大きくなって、ユーザが携帯する時や移動中使用における不便なところがある。
【０００６】
よって、メモリカードスロットを選択的に開閉できるだけでなく、デジタルモバイル機器の小型化が図れるメモリカードスロットの開閉装置の必要性が増大する。
【発明の開示】
【発明が解決しようとする課題】
【０００７】
本発明は、前記のような問題点を鑑みてなされたものであって、その目的は、メモリカードスロットを選択的に開閉でき、サイズの小型化が図れるメモリカードスロットの開閉装置及びそれを備えたデジタルモバイル機器を提供することにある。
【課題を解決するための手段】
【０００８】
前記のような本発明の目的は、メモリカードスロットの入口を塞ぐよう形成されたドアと、前記ドアが回動して前記メモリカードスロットの入口を選択的に開閉するよう前記ドアを前記メモリカードスロットの両側壁に対して回転支持する複数のヒンジとを含むメモリカードスロットの開閉装置を提供することで達成される。
【０００９】
この時、メモリカードスロットの開閉装置は、前記メモリカードスロットの入口の前端に設けられ、メモリカードを前記メモリカードスロットに差し込むよう引入口が形成されたドアホルダをさらに含むことが好ましい。
【００１０】
そして、前記複数のヒンジは前記ドアホルダの両側壁に設けられることが好ましい。
【００１１】
また、前記ドアは、前記ドアホルダの引入口を遮断する遮断板と、前記遮断板の両端で延長され、前記ドアホルダの両側壁に前記複数のヒンジにより回動自在に設けられる複数の回転アームと、を含むことが好ましい。
【００１２】
ここで、前記ドアホルダの内面は、前記メモリカードスロットに挿入される前記メモリカードに対応する形状で成型されることが好ましい。
【００１３】
また、メモリカードスロットの開閉装置は、前記複数のヒンジそれぞれの一側に設けられ、前記ドアのヒンジ部を弾性押圧する複数の位置保持部材をさらに含むことが好ましい。この時、前記複数の位置保持部材は、一体に形成されることが好ましい。
【００１４】
また、前記ドアのヒンジ部は、開いている状態で前記位置保持部材と接触する第１固定部と、閉まっている状態で前記位置保持部材と接触する第２固定部とを含むことが好ましい。
【００１５】
本発明の他の側面からすると、前記のような本発明の目的は、本体と、前記本体の一側に回動自在に設けられるディスプレーユニットと、前記ディスプレーユニットの受容される前記本体の受容部と内側で接するよう設けられたメモリカードスロットと、前記メモリカードスロットの入口に設けられ、回動して前記メモリカードスロットの入口を選択的に開閉するメモリカードスロットの開閉装置とを含むデジタルモバイル機器を提供することで達成される。
【００１６】
この時、前記メモリカードスロットの開閉装置は、前記メモリカードスロットの入口に設けられ、メモリカードを前記メモリカードスロットに差し込むよう引入口が形成されたドアホルダと、前記ドアホルダの引入口を塞ぐよう形成されたドアと、前記ドアが前記引入口を選択的に開閉するよう前記ドアを前記ドアホルダに対して回転支持する複数のヒンジとを含むことが好ましい。
【００１７】
また、前記メモリカードスロットの開閉装置は、前記複数のヒンジの一側に設けられ、前記ドアのヒンジ部を弾性押圧する位置保持部材をさらに含むことが好ましい。
【００１８】
ここで、前記ドアのヒンジ部は、開いている状態で前記位置保持部材と接触する第１固定部と、閉まっている状態で前記位置保持部材と接触する第２固定部とを含む。
【００１９】
この時、前記ドアは、前記ドアホルダの引入口を遮断する遮断板と、前記遮断板の両端で延長され、前記ドアホルダの両側壁に前記複数のヒンジにより回動自在に設けられる複数の回転アームとを含んでなる。
【００２０】
また、前記複数のヒンジが前記ドアホルダ及びドアを本体に固定することが好ましい。
【発明の効果】
【００２１】
上述したように、本発明に係るメモリカードスロットの開閉装置及びそれを備えたデジタルモバイル機器はドアを開閉することで、メモリカードスロットを選択的に開閉することができるため、デジタルモバイル機器を携帯する際にメモリカードがメモリカードスロットから抜けてしまうことがなくなる。さらに、メモリカードをメモリカードスロットに差し込むよう引入口が形成されたドアホルダを有すると共に、ドアホルダとは別に形成された複数のヒンジがドアの両端を回動可能に支持するようにドアホルダの両側壁に取り付けられるので、組み立て作業が容易に行える。また、ドアの回動に伴って位置保持部材の弾性突起がヒンジ部の第１固定部または第２固定部を押圧する構成であるので、メモリカードをメモリカードスロットに挿入するとき、またはメモリカードスロットからメモリカードを取り出すときはドアを開いている状態に安定的に保持することができ、メモリカードがメモリカードスロットに挿入されたときは引入口を遮断する状態にドアを安定的に保持することができる。
【００２２】
また、本発明に係るメモリカードスロットの開閉装置を用いる場合デジタルモバイル機器のサイズを最小化できる。
【００２３】
また、本発明に係るメモリカードスロットの開閉装置を用いるデジタルモバイル機器は、メモリカードスロットをディスプレーユニット、特に、ＬＣＤと本体との間に配置する場合もヒンジ式の回転ドアが設けられる。
【００２４】
また、本発明に係るメモリカードスロットの開閉装置は、ディスプレーユニットを備えたデジタルモバイル機器に用いられる場合、メモリカードスロットの開閉装置をディスプレーユニットと本体との間に配置してもドアやディスプレーユニットの留め部材の干渉が生じない。
【００２５】
また、本発明に係るメモリカードスロットの開閉装置及びそれを備えたデジタルモバイル機器は、ドアホルダを置き換えるだけで多様な種類のメモリカードが用いられる。
【発明を実施するための最良の形態】
【００２６】
以下、添付した図面に基づいて本発明の好適な実施形態について詳細に説明する。デジタルモバイル機器はデジタルカメラ、デジタルカムコーダ、携帯電話などがあるが、以下ではデジタルカムコーダを例にとって説明する。
（実施形態）
図１及び図２に示すように、本発明に係るデジタルモバイル機器１は、本体１０、ディスプレーユニット２０、メモリカードスロット３０、メモリカードスロットの開閉装置４０を含む。
【００２７】
本体１０は、一側にディスプレーユニット２０が受容される受容部１１を有する。受容部１１は、ディスプレーユニット２０と対応する形状であり、本体１０の一側から所定の深さだけ引入され形成される。また、本体１０には、図示していないが、映像データを取得するカメラユニット、ユーザが目を接触させてカメラユニットにより取得された映像データを確認するビューファインダ、取得した映像データを格納及び再生できる記録／再生装置及びこのような構成要素を制御する制御部が取り付けられる。かかる本体１０の技術構成は、一般的なカムコーダの技術構成と類似しているので、詳細な説明と図示は省略する。
【００２８】
ディスプレーユニット２０は、本体１０の受容部１１側面１２に、本体１０に対して回動自在に設けられ、ディスプレー部２１と、ディスプレー部２１を支持するフレーム部２２とを含む。ここで、ディスプレー部２１はカメラユニット（図示せず）から撮影される映像データをディスプレーしたり、または記憶媒体（図示せず）に記憶され再生される映像データをディスプレーする。一般に、このようなディスプレー部２１としてはＬＣＤが用いられる。また、ディスプレーユニット２０が本体１０に対して回動しないように固定する留め部材１３はメモリカードスロットの開閉装置４０の一側に設けられる。
【００２９】
メモリカードスロット３０は、格納容量を拡張するためのメモリカードを選択的に着脱できるよう本体１０に設けられる。この時、デジタルモバイル機器１のサイズを減らすためにメモリカードスロット３０を本体１０の受容部１１の真下に設けるのが重要である。すなわち、メモリカードスロット３０は受容部１１を形成する本体１０の側壁と内側で接するよう設けられる。この時、メモリカードスロット３０の入口と対応する本体１０の壁には開口部１５が形成される（図５参照）。メモリカードスロット３０は、ＭＭＣ、ＳＤカード、メモリスティックなどの多様なメモリカードのうち、一種類のメモリカードのみが用いられるよう特定メモリカードの形状に対応する専用スロットで形成できる。または、多種類のメモリカードが共通に用いられるよう構成されたマルチスロットでも形成できる。このようなメモリカードスロット３０は、挿入されたメモリカードを固定し、メモリカードをデジタルモバイル機器１の制御部（図示せず）と電気的に接続する。したがって、制御部は、カメラユニットから撮影される映像データをメモリカードに格納したり、またはメモリカードに格納された映像データなどをディスプレー部２１を介してディスプレーする。このようなメモリカードスロット３０の具体的な技術構成は、通常のメモリカードスロットの技術構成と類似しているので詳細な説明及び図示は省略する。
【００３０】
メモリカードスロットの開閉装置４０は、メモリカードスロット３０の入口と連通するように本体１０の開口部１５（図５参照）に設けられ、メモリカードスロット３０の入口を選択的に開閉する。
【００３１】
図３に示すように、本実施形態によるメモリカードスロットの開閉装置４０は、ドアホルダ４１、ドア４５、２つのヒンジ５０、位置保持部材６０を含む。
【００３２】
ドアホルダ４１は、メモリカードスロット３０と連通するようにメモリカード３０の入口に設ける。ドアホルダ４１は用いられるメモリカードに対応する形状で形成される。通常、メモリカードが長方形であるので、ドアホルダ４１はメモリカードを着脱できるようこれに対応する長方形のパイプ状で形成される。ドアホルダ４１の内面４２は用いられるメモリカードの形状に対応する形状で成型される。すなわち、図３におけるドアホルダ４１は、メモリカードスロット３０に多種類のメモリカード（例えば、ＭＭＣ、ＳＤカード、メモリスティックなど）を使うマルチスロットに用いられるドアホルダの例である。図４は、メモリスティック専用スロットに対応する内面４２’を有するドアホルダ４１’の例である。ドアホルダ４１の両側壁４４にはヒンジ５０のヒンジ軸５１が組み合わせられる支持孔４４ａが形成される。
【００３３】
ドア４５は、ドアホルダ４１に対して高さ方向（図７ＢのＨ）に回動し、ドアホルダ４１の引入口４３を選択的に遮断できるよう形成される。図３に示すように、ドア４５は遮断板４６と２つの回転アーム４７とから構成される。遮断板４６は、ドアホルダ４１の引入口４３を遮断して、メモリカードスロット３０に挿入されたメモリカードが抜けないようにする。２つの回転アーム４７は、遮断板４６の両端でそれぞれ延長され、ドアホルダ４１の両側壁４４にヒンジ５０により回転自在に設けられる。この時、ドア４５の高さ（ｈ）はドアホルダ４１の高さ（Ｈ）と同一または低くなるよう成型される（図７Ｂ参照）。回転アーム４７の先端部にはヒンジ部４８が設けられる。ヒンジ部４８にはヒンジ５０のヒンジ軸５１が挿入されるヒンジ孔４９が形成される。また、ヒンジ部４８の外側にはドアホルダ４１の引入口４３が開いている状態でドア４５を一時的に固定する第１固定部４８ａ（図７Ａ参照）、ドアホルダ４１の引入口４３が閉まっている状態でドア４５を一時的に固定する第２固定部４８ｂ（図７Ｂ参照）が設けられる。第１及び第２固定部４８ａ、４８ｂはそれぞれドア４５が開いたり閉まったりした状態で後述する位置保持部材６０と接触するヒンジ部４８の外周を直線に加工形成する。
【００３４】
複数のヒンジ５０は、ドア４５がドアホルダ４１に対して高さ（Ｈ、図７Ｂ参照）方向に回動自在にドア４５を回転支持するものとして、ドアホルダ４１の両側壁４４に設けられる。ここで、両側壁４４は、長方形断面のドアホルダ４１における短辺の側に該当する壁を指す。ヒンジ５０は、ヒンジ軸５１と固定部５２とから構成される。ヒンジ軸５１は、ヒンジ孔４９及び支持孔４４ａを貫通し挿入され、ドア４５がドアホルダ４１に対して回動自在に支持する。この時、ヒンジ軸５１は、ドアホルダ４１の内側へヒンジ軸５１の先端５１ａが突出されないことが好ましい。固定部５２は、ドアホルダ４１、ドア４５、及びヒンジ５０を一体に本体１０に固定するためのものとして、固定孔５３を含む。すなわち、締結部材６５（図６参照）を使ってヒンジ５０の固定部５２を本体１０の開口部１５に設けられた組立部１６の組立孔１６ａに組み合わせることで、メモリカードスロットの開閉装置４０が本体１０に固定される。
【００３５】
位置保持部材６０は、２つのヒンジ５０の一側に設けられ、ドア４５が一定の状態を保つようにする。すなわち、ドア４５が開いている状態であれば、ユーザがドア４５を閉めるまではドア４５は開いている状態を保ち、ドア４５が閉まっている状態であれば、ユーザが開けるまではドア４５は閉まっている状態を保つ。位置保持部材６０は、図３に示すように、ベース６１と２つの弾性突起６２とから構成される。弾性突起６２それぞれは、ドア４５のヒンジ部４８を押圧するよう形成される。この時、弾性突起６２の突起部６２ａ（図７Ａ参照）は、ヒンジ部４８の第１固定部４８ａや第２固定部４８ｂを押圧することが好ましい。ベース６１は、位置保持部材６０を本体１０に固定するための保持孔６３が形成される。この時、保持孔６３は２つを加工するが、それぞれの保持孔６３が本体１０の開口部１５に設けられた２つの組立孔１６ａと対応する位置に形成されることが好ましい。これにより、締結部材６５で位置保持部材６０とヒンジ５０とを一緒に本体１０に固定することができる。また、位置保持部材６０は、弾性突起６２がドア４５のヒンジ部４８を弾性支持するように弾性を有ずる金属材料で成型することが好ましい。
【００３６】
また、図示していないが、位置保持部材６０は、上述した実施形態とは違ってベースと１つの弾性突起に分離された形態に構成することもできる。この場合、２つの位置保持部材をドア４５の両側のヒンジ５０に１つずつ設ける。
【００３７】
また、メモリカードスロットの開閉装置の他の実施形態として、図示していないが、メモリカードスロットの両側壁に複数のヒンジを設けてドアを回転支持するようにすることで、ドアがメモリカードスロットの入口を選択的に開閉できるよう構成することができる。この時、複数のヒンジはメモリカードスロットの両側壁にそれぞれ１つずつのヒンジ軸をメモリカードスロットの両側壁と一体に形成してドアを回転支持するように形成できる。
【００３８】
以下、上述した構成のメモリカードスロットの開閉装置４０をデジタルモバイル機器１の本体１０に組立てる過程を図３、図５及び図６に基づいて説明する。
【００３９】
まず、ドア４５の遮断板４６がドアホルダ４１の引入口４３を塞ぐようにドアホルダ４１とドア４５を組立てる。そして、２つのヒンジ５０のヒンジ軸５１をそれぞれドア４５の両側のヒンジ孔４９とドアホルダ４１の両側の支持孔４４ａに組み合わせて挿入する。これにより、メモリカードスロットの開閉装置４０がサブ組立した状態になる。この状態では、ドア４５がドアホルダ４１に対してヒンジ軸５１を中心に回転できる。このように、サブ組立したメモリカードスロットの開閉装置４０を図５に示すように本体１０の開口部１５に差し込む。この時、ヒンジ固定部５２の固定孔５３と開口部１５の組立孔１６ａとを一致させる。その後、本体１０の後方から位置保持部材６０の保持孔６３と開口部１５の組立孔１６ａとを一致させた後、締結部材６５を使って固定する。この時、ヒンジ固定部５２の固定孔５３にメシネジを形成した場合は、ボルト６５で位置保持部材６０の保持孔６３と開口部１５の組立孔１６ａを貫通した後、ヒンジ固定部５２の固定孔５３に締結するだけで、簡単にメモリカードスロットの開閉装置４０を本体１０に固定する。
【００４０】
以下、前記のような構成を有する本発明に係るメモリカードスロットの開閉装置４０の作用について図１、図７Ａ及び図７Ｂに基づいて説明する。
【００４１】
まず、メモリカードをデジタルモバイル機器１のメモリカードスロット３０に挿入する場合について説明する。ディスプレーユニット２０を外側に回転させて図１に示すように、ディスプレーユニット２０を本体１０の受容部１１から離隔させる。この状態で、メモリカードスロットの開閉装置４０のドア４５を左側（図１の本体を基準）に押圧すると、ドア４５がヒンジ軸５１を基準に回転してドアホルダ４１の引入口４３が開放される。この時、ドア４５のヒンジ部４８の第１固定部４８ａが、図７Ｂに示すように、位置保持部材６０の弾性突起６２により押さえられるため、ドア４５がドアホルダ４１の引入口４３を開けた状態を保つ。次に、ドアホルダ４１の引入口４３にメモリカードを挿入してメモリカードスロット３０に取り付ける。その後、ドア４５を右側（図１の本体を基準）に押圧すると、ドア４５がヒンジ軸５１を基準に回転することによりドアホルダ４１の引入口４３を塞ぐ。この時、ドア４５のヒンジ部４８の第２固定部４８ｂが、図７Ａに示すように、位置保持部材６０の弾性突起６２により押さえられるため、ドア４５がドアホルダ４１の引入口４３を塞いだ状態を保つ。したがって、デジタルモバイル機器１を携帯する際にもメモリカードスロット３０に挿入されたメモリカードが抜けることはない。
【００４２】
また、メモリカードをメモリカードスロット３０から抜く場合は、上述した過程と逆にメモリカードスロットの開閉装置４０を動作させれば済むから詳細な説明は省略する。
【００４３】
以上、デジタルモバイル機器１の一例としてデジタルカムコーダを中心に説明したが、デジタルカムコーダ以外にデジタルカメラ、携帯電話、ＰＤＡ、携帯ゲーム機などの他のデジタルモバイル機器にも上述したメモリカードスロットの開閉装置４０が適用できることは言うまでもない。
【００４４】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【産業上の利用可能性】
【００４５】
本発明は、メモリカードスロットの入口を選択的に開閉できるメモリカードスロットの開閉装置に関する。したがって、本発明は、メモリカードスロットを用いるデジタルカメラ、デジタルカムコーダ、ＭＰ３、ＰＤＡなどのデジタルモバイル機器の生産及び使用などに利用できる。
【図面の簡単な説明】
【００４６】
【図１】本発明に係るメモリカードスロットの開閉装置を備えたデジタルモバイル機器の一実施形態を概略的に示す斜視図である。
【図２】図１に示すデジタルモバイル機器の部分分解斜視図である。
【図３】本発明に係るメモリカードスロットの開閉装置の一実施形態を示す分解斜視図である。
【図４】本発明に係るメモリカードスロットの開閉装置のドアホルダの他の例を示す斜視図である。
【図５】本発明に係るメモリカードスロットの開閉装置をデジタルモバイル機器の本体に取り付ける前の状態を示す分解斜視図である。
【図６】本発明に係るメモリカードスロットの開閉装置を位置保持部材で本体に固定する前の状態を示す分解斜視図である。
【図７Ａ】本発明に係るメモリカードスロットの開閉装置が閉まっている状態を示す図である。
【図７Ｂ】本発明に係るメモリカードスロットの開閉装置が開いている状態を示す図である。
【符号の説明】
【００４７】
１        デジタルモバイル機器（デジタルカムコーダ）
１０      本体
１１      受容部
１５      開口部
２０      ディスプレーユニット
２１      ディスプレー部
３０      メモリカードスロット
４０      メモリカードスロットの開閉装置
４１      ドアホルダ
４５      ドア
４６      遮断板
４７      回転アーム
４８      ヒンジ部
５０      ヒンジ
５１      ヒンジ軸
５２      固定部
６０      位置保持部材
６１      ベース
６２      弾性突起
６３      保持孔
【図１】
0004637777.tif 000002
【図２】
0004637777.tif 000003
【図３】
0004637777.tif 000004
【図４】
0004637777.tif 000005
【図５】
0004637777.tif 000006
【図６】
0004637777.tif 000007
【図７Ａ】
0004637777.tif 000008
【図７Ｂ】
0004637777.tif 000009